(57)【要約】【課題】触り心地が良く、乾いた肌触り感及びドライ感が常時得られる液体吸収パッドを提供する。【解決手段】オムツＡ及びおしめＢを構成する液体吸収パッド１を、装着者の股間及び臀部が覆われる状態に装着する。装着者が排泄する略液状の排出物及びその排出物に含まれる水分等の液体Ｗを、液体吸収パッド１の上層部２及び中層部３の撥水層２ｄ，３ｄで撥水し、その撥水された液体Ｗを、上層部２及び中層部３の孔部２ａ，３ａを通過させ、中層部３の吸収層３ｅで吸収及び保水する。吸収層３ｅに吸収された液体Ｗを、上層部２及び中層部３の撥水層２ｄ，３ｄで撥水して、吸収層３ｅに吸収された液体Ｗが上層部２の表面側に滲み出すのを積極的に妨げ及び防止し、人肌と接する上層部２の表面側を乾いた状態に常時保持する。【選択図】  図３
2004154326.tif 000002
【特許請求の範囲】
【請求項１】
液体を吸収する中層部を、上層部及び下層部の対向面間に収容し、
上記液体の通過が許容される孔部を、上記上層部及び中層部の表面側に複数形成し、
上記孔部を除いた上層部及び中層部の表面側に撥水性を持たせると共に、
上記上層部及び中層部、下層部を重ね合わせたまま一体的に固定した
液体吸収パッド。
【請求項２】
上記孔部を、上記上層部及び中層部を厚み方向に打抜いて形成した
請求項１記載の液体吸収パッド。
【請求項３】
上記孔部を、上記上層部及び中層部を構成する糸を任意本数抜き取って形成した請求項１記載の液体吸収パッド。
【請求項４】
上記孔部を、上記上層部及び中層部を構成する糸の間隔を任意間隔に変更して形成した
請求項１記載の液体吸収パッド。
【請求項５】
上記上層部を、撥水性を有する素材で構成した
請求項１，２，３又は４記載の液体吸収パッド。
【請求項６】
上記中層部を、上記液体を撥水する撥水層及び該液体を吸収する吸収層を重ね合わせて構成した
請求項１，２，３又は４記載の液体吸収パッド。
【発明の詳細な説明】
【０００１】
【発明の属する技術分野】
この発明は、例えば尿や糞便、経血、汗等の人体から排出される排出物を吸収及び漏れ防止する子供用や大人用、介護用のオムツ（おしめ）、寝具用シーツやカバー、肌着やスポーツウェアー等に用いられる液体吸収パッドに関する。
【０００２】
【従来の技術】
従来、上述の液体吸収パッドとしては、例えば微細孔を有する紡績糸を配した裏面層及び０．３デニール以下の繊維からなる仮撚加工糸を配した中間層、１デニール以上の非親水性の仮撚加工糸を配した表面層で構成された特許文献１の高吸水性布帛と、吸水性ポリマーを封入した通水性袋と、その通水性袋を覆う撥水性を有する収納袋とからなる特許文献２のペット用涼快マットとがある。
【０００３】
【特許文献１】
特許第３０８６０９１公報。
【０００４】
【特許文献２】
特開平１１−３２６０６号公報。
【０００５】
【発明が解決しようとする課題】
しかし、上述の特許文献１の高吸水性布帛は、人体から排出される水分を裏面層の吸水作用により吸い上げて、中間層内部に吸収及び保水するものであるので、人肌と接する裏面層の表面側が水分で常時湿っていることが多く、且つ、中間層に吸収された水分が裏面層の人肌と接する裏面側全体に滲み出しやすいため、肌触り感が悪く、ドライ感が得られない。
【０００６】
また、特許文献２のペット用涼快マットは、吸水性ポリマーから滲み出す液体が通水性袋を介して大気中に放出し、その液体の気化する際にペットから熱を奪うものであるので、収容袋の表面側が常時湿っていることが多く、人肌に対して湿った感触が付与されるため、触り心地が悪い。且つ、収容袋は、液体が徐々に滲み出す程度の通水性及び水漏れを防止する機能を有しているので、液体の吸収力が弱く、人体から排出される略液状の排出物及びその排出物に含まれる水分等の液体を吸収する用途に適さない。
【０００７】
この考案は上記問題に鑑み、上層部及び中層部の孔部から侵入する液体を該中層部で吸収し、撥水性を持たせた上層部及び中層部の表面側で該中層部に吸収された液体を撥水することにより、中層部に吸収された液体が上層部の表面側に滲み出さず、乾いた肌触り感及びドライ感が常時得られる液体吸収パッドの提供を目的とする。
【０００８】
【課題を解決するための手段】
この発明は、液体を吸収する中層部を、上層部及び下層部の対向面間に収容し、上記液体の通過が許容される孔部を、上記上層部及び中層部の表面側に複数形成し、上記孔部を除いた上層部及び中層部の表面側に撥水性を持たせると共に、上記上層部及び中層部、下層部を重ね合わせたまま一体的に固定した液体吸収パッドであることを特徴とする。
【０００９】
上述の液体は、例えば尿や糞便、経血、汗等の人体から排出される略液状の排出物及びその排出物に含まれる水分で構成することができる。また、上層部及び中層部、下層部は、例えば綿や麻、毛、シルクなどの天然繊維、ポリエステルやアクリル、テトロンなどの化学繊維等の単一又は複合した吸水性を有する素材、その素材及び糸からなる布地や不織布、シート、綿状の交絡体等の液体を撥水する撥水機能、気化した液体を放出する蒸散機能を有するもので構成することができる。且つ、上層部及び中層部、下層部を、例えばニット編やトリコット編、ラッシェル編等の撥水機能及び蒸散機能を有する編み方で編成することもできる。
【００１０】
また、上層部及び中層部の孔部は、例えば１枚又は複数枚の布地を打抜くか、縦糸及び横糸を所定間隔毎に抜き取るか、布地を構成する縦糸及び横糸の間隔を広くする等して形成することができる。且つ、例えば目の荒い布地、孔部を有する不織布、メッシュ状のシート、多孔のシート及びカバー等で構成することもできる。また、上層部及び中層部の撥水層は、例えば縦糸及び横糸の間隔を密にするか、撥水性を有する繊維及び糸で構成するか、撥水性を有する繊維及び糸で構成するか、多数の毛を植設するか、撥水剤を塗布するか、撥水機能を有する編み方等で構成することができる。
【００１１】
また、下層部は、例えば布地や不織布、シート、パイル地等の撥水性及び通気性、吸水性、防水性を有するもので構成することができる。また、上層部及び中層部、下層部を、例えば縫合や接着、ホック、面ファスナー、粘着テープ、マグネット、止め具等の固定手段で固定することができる。
【００１２】
つまり、例えば人体から排出される略液状の排出物及びその排出物に含まれる水分等の液体を、液体吸収パッドを構成する撥水性を持たせた上層部及び中層部の表面側で撥水し、その撥水された液体を、上層部及び中層部の孔部から侵入させて、中層部により吸収及び保水する。且つ、中層部に吸収された液体を、撥水性を持たせた上層部及び中層部の表面側で撥水して、中層部に吸収された液体が上層部の表面側に滲み出すのを積極的に妨げ及び防止し、上層部の表面側を乾いた状態に常時保持する。
【００１３】
実施の形態として、上記孔部を、上記上層部及び中層部を厚み方向に打抜いて形成することができる。また、上記孔部を、上記上層部及び中層部を構成する糸を任意本数抜き取って形成することができる。また、上記孔部を、上記上層部及び中層部を構成する糸の間隔を任意間隔（例えば広い間隔及び狭い間隔等）に変更して形成することができる。また、上記上層部を、撥水性を有する素材で構成することができる。また、上記中層部を、上記液体を撥水する撥水層及び該液体を吸収する吸収層を重ね合わせて構成することができる。
【００１４】
【作用及び効果】
この発明によれば、液体吸収パッドを構成する上層部及び中層部の孔部から侵入する液体を該中層部で吸収し、撥水性を持たせた上層部及び中層部の表面側で該中層部に吸収された液体を撥水して、中層部に吸収された液体が上層部の表面側に滲み出すのを積極的に妨げ及び防止するので、上層部の表面側に液体が残留せず、上層部の表面側に液体が滲み出したり、液体を吸収した中層部が人肌に直接触れることもなく、相互の接触が回避されるため、触り心地が良く、乾いた肌触り感及びドライ感が常時得られる。
【００１５】
【実施例】
この発明の一実施例を以下図面に基づいて詳述する。
図面は、老人介護用のオムツとして用いられる液体吸収パッドを示し、図１及び図２に於いて、この液体吸収パッド１は、装着者（例えば老人）の人肌と接する撥水性及び通水性を有する上層部２と、その上層部２を通過した液体Ｗを吸収及び保水する中層部３と、中層部３が吸収した液体Ｗが外側に漏洩するのを防止する下層部４とで多層構造に構成され、中層部３を、上層部２及び下層部４の対向面間に形成した袋状収容部５に収容して、上層部２及び中層部３、下層部４の対向面を一体的に縫合固定している。
【００１６】
且つ、装着者の股間及び臀部と対接するオムツＡの装着側中央面（又は装着面全体）に設けると共に、その股間及び臀部が覆われる大きさ及び形状に形成している。なお、上層部２及び中層部３、下層部４の重ね合わせ面がズレないように縫合固定したり、オムツＡ全体を液体吸収パッド１で構成することもできる。
【００１７】
上述の上層部２は、図３にも示すように、例えばポリエステルやアクリル等の繊維及び糸からなる布地で構成され、液体Ｗの通過が許容される孔部２ａ…を、装着者の人肌と接する上層部２の表面側に対して面方向に所定間隔に隔てて複数形成すると共に、その孔部２ａ…を除いた残りの表面側を、例えば縦糸２ｂ及び横糸２ｃの間隔を密にするか、撥水性を有する繊維及び糸で構成するか、多数の毛を植設するか、撥水剤を塗布する等して撥水加工及び撥水処理を施し、液体Ｗを撥水する撥水機能と、気化した液体Ｗを通過及び放出する蒸散機能とを有する撥水層２ｄを、孔部２ａ…を除いた上層部２の略表面全体に形成している。且つ、上層部２を、例えば天然繊維及び化学繊維の何れか一方又は混合した糸で構成するか、撥水機能及び蒸散機能を有する編み方で編成してもよい。
【００１８】
前述の中層部３は、上述の上層部２と略同様にして、液体Ｗの通過が許容される孔部３ａ…を、上層部２裏面と対向する中層部３の表面側、すなわち、中層部３を構成する撥水層３ｄ及び吸収層３ｅ，３ｅに対して面方向に所定間隔に隔てて複数形成すると共に、撥水層３ｄ及び吸収層３ｅ，３ｅに対して厚み方向に連通して形成している。なお、撥水層３ｄは、上側吸収層３ｅの表面側のみに形成しているが、上側吸収層３ｅの表面側にも形成してもよい。
【００１９】
且つ、孔部３ａ…を除いた撥水層３ｄの表面側を、例えばポリエステルやアクリル等の化学繊維からなる縦糸３ｂ及び横糸３ｃの間隔を密にするか、撥水性を有する縦糸３ｂ及び横糸３ｃ又は化学繊維で構成するか、多数の毛を植設するか、撥水剤を塗布する等して撥水加工及び撥水処理を施し、液体Ｗを撥水する撥水機能と、気化した液体Ｗを通過及び放出する蒸散機能とを有する撥水層３ｄを、孔部３ａ…を除いた中層部３（又は吸収層３ｅ）の略表面全体に対して一体的に形成している。つまり、孔部３ａ…が形成された撥水層３ｄを、吸収層３ｅの上面側に対して重ね合わせたまま一体的に固定又は編み込み固定している。また、撥水層３ｄを、例えば撥水剤を、孔部３ａ…を除いた中層部３の略表面全体に塗布して構成することもできる。
【００２０】
上述の吸収層３ｅは、例えば綿及びポリエステルを所定の割合で混合した吸水性を有する繊維素材及び糸からなる布地で構成され、その吸収層３ｅを構成する繊維素材及び糸の混合比を、例えば綿＝略６５％、ポリエステル＝略３５％に設定している。また、撥水層３ｄを、撥水機能及び蒸散機能を有する編み方で編成してもよい。
【００２１】
且つ、撥水層３ｄ及び吸収層３ｅを重ね合わせてなる中層部３を、上層部２及び下層部４の対向面間に形成される袋状収容部５に対して収容される大きさ及び形状に形成すると共に、適度なクッション性を持たせるために、略同一サイズに形成した２枚の吸収層３ｅを厚み方向に重ね合わせるか、２枚分のサイズを有する吸収層３ｅを二つ折り状態に折畳んで袋状収容部５に収容している。また、吸収層３ｅの重ね合わせ枚数を１枚又は２枚以上に変更してもよい。
【００２２】
なお、綿の混合比を、例えば略６５％以下及び略６５％以上に変更し、ポリエステルの混合比を、例えば略３５％以下及び略３５％以上に変更してもよい。且つ、綿及びポリエステルの代わりに、その他の天然繊維及び化学繊維の単一及び複合した繊維素材を用いてもよく、実施例の混合比及び繊維素材のみに限定されるものではない。
【００２３】
前述の孔部２ａ，３ａを形成する場合、例えば図４に示すように、１枚又は複数枚の上層部２及び中層部３を厚み方向に打抜いて形成するか、図５に示すように、上層部２及び中層部３を構成する縦糸２ｂ，３ｂ及び横糸２ｃ，３ｃを所定間隔毎に所定本数抜き取るか、縦糸２ｂ，３ｂ及び横糸２ｃ，３ｃの間隔を任意間隔（例えば広い間隔及び狭い間隔等）に変更する等して形成する。
【００２４】
且つ、実施例では一部の孔部２ａ及び孔部３ａを略連通する位置に配列しているが、例えば孔部３ａを、孔部２ａよりも少ない数に設定するか、孔部２ａ及び孔部３ａを異なる位置に配列する等してもよく、中層部３の吸収層３ｅが上層部２の孔部２ａ…に露出するのを回避及びその露出される面積を少なくことができる。また、略丸形の孔部２ａ及び孔部３ａを、例えば略同一の孔径又は異なる孔径に形成するか、略四角形や略三角形、略楕円形等の任意形状に形成することもできる。
【００２５】
前述の下層部４は、例えば天然繊維である綿が略１００％の繊維及び糸からなる布地で構成され、その下層部４の表面側及び裏面側を、例えば撥水性を有する繊維及び糸で構成するか、糸の間隔を密にするか、多数の毛を植設するか、撥水剤を塗布する等して撥水加工及び撥水処理を施し、中層部３が吸収した液体Ｗを撥水する撥水機能と、気化した液体Ｗを通過及び放出する蒸散機能とを持たせている。
【００２６】
且つ、下層部４を、例えば中層部３が吸収した液体Ｗの通過及び浸透を阻止し、外側に漏洩するのを防止するのに適した編み方で編成してもよい。また、下層部４を、例えば化学繊維単体、天然繊維及び化学繊維を所定の割合で混合した繊維及び糸からなる布地で構成するか、下層部４全体及び表面側、裏面側を、例えば合成ゴムや軟質樹脂等の撥水性及び防水性を有する材質で形成してもよい。
【００２７】
図示実施例は上記の如く構成するものにして、以下、液体吸収パッド１をオムツＡとして用いた使用例を説明する。
【００２８】
先ず、装着時において、オムツＡを構成する液体吸収パッド１の上層部２を装着者の人肌に接触させて、オムツＡを、装着者の股間及び臀部が覆われる状態に装着する。
【００２９】
次に、オムツＡ内部に、装着者の排泄物（例えば尿や糞便等）が排泄された場合、図３に示すように、略液状の排出物及びその排出物に含まれる水分等の液体Ｗを上層部２の撥水層２ｄで撥水して、その撥水された液体Ｗを、上層部２の孔部２ａ…を通過させて袋状収容部５に侵入及び浸透させる。
【００３０】
且つ、上層部２の孔部２ａ…を通過した液体Ｗを、袋状収容部５に収容した中層部３の撥水層３ｄで撥水して、その撥水された液体Ｗを、中層部３の孔部３ａ…を通過させて吸収層３ｅ側に侵入及び浸透させ、２層構造を有する吸収層３ｅにより吸収及び保水する。
【００３１】
且つ、中層部３の吸収層３ｅに吸収された液体Ｗを、上層部２の撥水層２ｄ及び中層部３の撥水層３ｄで撥水して、中層部３の吸収層３ｅに吸収された液体Ｗが上層部２の表面側に滲み出すのを妨げ及び防止し、上層部２の表面側を乾いた状態に常時保持する。
【００３２】
且つ、液体吸収パッド１の液吸収力が低下した場合、液体吸収パッド１を、例えば天日に当てたり、日陰に干したり、乾燥機で乾燥処理する等して、中層部３に吸収された液体Ｗを蒸発気化させると共に、その気化した液体Ｗを、上層部２の孔部２ａ…及び中層部３の孔部３ａ…を通過させ、上層部２の撥水層２ｄ及び中層部３の撥水層３ｄの蒸散性を利用して大気中に放出し、中層部３の吸収層３ｅを吸収前の状態に短い時間で回復させる。
【００３３】
以上のように、装着者が排泄する略液状の排出物及びその排出物に含まれる水分等の液体Ｗを、液体吸収パッド１を構成する上層部２及び中層部３の撥水層２ｄ，３ｄで撥水し、その撥水された液体Ｗを、上層部２及び中層部３の孔部２ａ，３ａを通過させて、中層部３の吸収層３ｅにより吸収及び保水する。且つ、吸収層３ｅに吸収された液体Ｗを、上層部２及び中層部３の撥水層２ｄ，３ｄで撥水して、吸収層３ｅに吸収された液体Ｗが上層部２の表面側に滲み出すのを積極的に妨げ及び防止するので、上層部２の表面側に液体Ｗが残留せず、上層部２の表面側に液体Ｗが滲み出したり、液体Ｗを吸収した中層部３及び吸収層３ｅが人肌に直接触れることもなく、相互の接触が回避されるため、触り心地が良く、乾いた肌触り感及びドライ感が常時得られる。
【００３４】
且つ、中層部３の吸収層３ｅに吸収された液体Ｗを蒸発気化させると共に、その気化した液体Ｗを、上層部２の孔部２ａ…及び中層部３の孔部３ａ…を通過させ、上層部２及び中層部３の蒸散性を利用して大気中に放出するので、液体Ｗの蒸散効率が良く、液体吸収パッド１の液吸収力を吸収前の状態に短い時間で回復させることができ、何回でも繰り返し使用することができる。
【００３５】
且つ、上層部２及び中層部３、下層部４を、吸水性を有する市販の繊維素材及び布地により構成するので、従来例のような吸水性ポリマーを使用するよりも吸水材料の価格が安く、液体吸収パッドを簡単且つ安価に製造することができる。
【００３６】
図６は、中層部３を構成する１層の吸収層３ｅを、所定量の液体Ｗを吸収及び保水するのに適した肉厚に形成した１層の液体吸収パッド１のその他の例を示し、上層部２の孔部２ａ…及び中層部３の孔部３ａ…を通過した液体Ｗを、中層部３を構成する１層の吸収層３ｅが吸収及び保水するので、上述の実施例と略同等の作用及び効果を奏することができる。
【００３７】
図７は、おしめＢに用いた液体吸収パッド１の他の使用例を示し、液体吸収パッド１を、乳幼児の股間及び臀部と対向するおしめＢの装着側中央面（又は装着面全体）に設け、おしめＢを、乳幼児の股間及び臀部が覆われる状態に装着する。乳幼児が排泄する略液状の排出物及びその排出物に含まれる水分等の液体Ｗを上層部２の撥水層２ｄで撥水し、その撥水された液体Ｗを、上層部２の孔部２ａ…を通過させて袋状収容部５に侵入及び浸透させ、上層部２の孔部２ａ…及び中層部３の孔部３ａ…を通過した液体Ｗを、中層部３を構成する吸収層３ｅが吸収及び保水するので、上述の実施例と略同等の作用及び効果を奏することができる。
【図面の簡単な説明】
【図１】液体吸収パッドをオムツとして用いた使用例を示す斜視図。
【図２】液体吸収パッドの積層構造を示す展開斜視図。
【図３】中層部の吸収層を２層にした例を示す縦断面図。
【図４】上層部及び中層部の孔部を打抜いて形成した例を示す拡大平面図。
【図５】孔部を糸の抜き取りにより形成した他の例を示す拡大平面図。
【図６】中層部の吸収層を１層にしたその他の例を示す縦断面図。
【図７】液体吸収パッドをおしめに用いた他の使用例を示す展開平面図。
【符号の説明】
Ａ…オムツ
Ｂ…おしめ
Ｗ…液体
１…液体吸収パッド
２…上層部
２ａ，３ａ…孔部
２ｂ，３ｂ…縦糸
２ｃ，３ｃ…横糸
２ｄ，３ｄ…撥水層
３…中層部
３ｅ…吸収層
４…下層部
【図１】
2004154326.tif 000003
【図２】
2004154326.tif 000004
【図３】
2004154326.tif 000005
【図４】
2004154326.tif 000006
【図５】
2004154326.tif 000007
【図６】
2004154326.tif 000008
【図７】
2004154326.tif 000009